(57)【要約】【課題】リテーナの変形を抑制し、リテーナによる端子の係止を確実に維持させることが可能なコネクタを提供すること。【解決手段】メス端子１７を収容する端子収容室４５が形成された接続部４４を有するメスハウジング１３と、接続部４４に対して側方から装着されて端子収容室４５に収容されたメス端子１７を係止するリテーナ２５と、を備え、接続部４４は、上部及び下部の少なくとも一方に、リテーナ２５の装着方向に沿うガイドレール１４５を有し、リテーナ２５は、接続部４４の上部及び下部に沿って配置される一対の板状部１１１，１１３と、板状部１１１，１１３における接続部４４への装着側と反対側を連結する連結部１１５と、を有し、板状部１１１，１１３の少なくとも一方には、接続部４４にリテーナ２５を装着する際に、ガイドレール１４５と係合するスライドレール１４７が装着方向に沿って形成されている。【選択図】図８
2020155222.tif 000002
【特許請求の範囲】
【請求項１】
端子を収容する端子収容室が形成された接続部を有するハウジングと、
前記接続部に対して側方から装着されて前記端子収容室に収容された前記端子を係止するリテーナと、
を備え、
前記接続部は、上部及び下部の少なくとも一方に、前記リテーナの装着方向に沿うガイドレールを有し、
前記リテーナは、前記接続部の上部及び下部に沿って配置される一対の板状部と、前記板状部における前記接続部への装着側と反対側を連結する連結部と、を有し、
前記板状部の少なくとも一方には、前記接続部に前記リテーナを装着する際に、前記ガイドレールと係合するスライドレールが前記装着方向に沿って形成されている
ことを特徴とするコネクタ。
【請求項２】
前記スライドレールは、前記リテーナにおける前記装着方向の前端側に設けられている
ことを特徴とする請求項１に記載のコネクタ。
【請求項３】
前記リテーナは、
前記接続部に対して仮係止位置と本係止位置とに配置され、
少なくとも前記仮係止位置で前記端子収容室への前記端子の挿入を許可するとともに前記端子収容室に挿入された前記端子を係止する第一係止部と、
前記本係止位置で前記端子収容室に挿入された前記端子の後端に配置されて前記端子を係止する第二係止部と、を備える
ことを特徴とする請求項１または請求項２に記載のコネクタ。
【発明の詳細な説明】
【技術分野】
【０００１】
本発明は、コネクタに関する。
【背景技術】
【０００２】
端子が収容される端子収容室を有する接続部に対して側方からリテーナを装着することで、端子収容室に収容された端子をリテーナで係止するハウジングを備えたコネクタが知られている（例えば、特許文献１、２参照）。
【先行技術文献】
【特許文献】
【０００３】
【特許文献１】特開２０１０−７３３７５号公報
【特許文献２】特開２０００−２５２０００号公報
【発明の概要】
【発明が解決しようとする課題】
【０００４】
上記のコネクタでは、端子収容室に対する端子の挿入が不完全な半挿入状態であるとリテーナのランスが端子に干渉して装着ができず、このことから、作業者は、端子の半挿入状態を認識することが可能である。
ところで、接続部に対して側方から装着されるリテーナは、一側部で開口した断面視でU字状に形成されている。このため、接続部に装着されたリテーナに外力が作用したり、電線が引っ張られて端子からリテーナのランスに負荷がかかると、リテーナが開いて端子の係止が不十分となるおそれがある。また、端子収容室に対して端子の半挿入状態でリテーナを接続部へ無理に押し込むと、リテーナの開口側が端子に乗り上げて開いてしまい、端子の挿入が不完全であるにも関わらず、接続部にリテーナが装着されてしまうおそれがある。
【０００５】
本発明は、上述した事情に鑑みてなされたものであり、その目的は、リテーナの変形を抑制し、リテーナによる端子の係止を確実に維持させることが可能なコネクタを提供することにある。
【課題を解決するための手段】
【０００６】
前述した目的を達成するために、本発明に係るコネクタは、下記（１）〜（３）を特徴としている。
（１）  端子を収容する端子収容室が形成された接続部を有するハウジングと、
前記接続部に対して側方から装着されて前記端子収容室に収容された前記端子を係止するリテーナと、
を備え、
前記接続部は、上部及び下部の少なくとも一方に、前記リテーナの装着方向に沿うガイドレールを有し、
前記リテーナは、前記接続部の上部及び下部に沿って配置される一対の板状部と、前記板状部における前記接続部への装着側と反対側を連結する連結部と、を有し、
前記板状部の少なくとも一方には、前記接続部に前記リテーナを装着する際に、前記ガイドレールと係合するスライドレールが前記装着方向に沿って形成されている
ことを特徴とするコネクタ。
（２）  前記スライドレールは、前記リテーナにおける前記装着方向の前端側に設けられている
ことを特徴とする（１）に記載のコネクタ。
（３）  前記リテーナは、
前記接続部に対して仮係止位置と本係止位置とに配置され、
少なくとも前記仮係止位置で前記端子収容室への前記端子の挿入を許可するとともに前記端子収容室に挿入された前記端子を係止する第一係止部と、
前記本係止位置で前記端子収容室に挿入された前記端子の後端に配置されて前記端子を係止する第二係止部と、を備える
ことを特徴とする（１）または（２）に記載のコネクタ。
【０００７】
上記（１）の構成のコネクタによれば、接続部にリテーナを装着する際に、接続部に形成されたガイドレールとリテーナに形成されたスライドレールとが係合される。したがって、接続部に装着されたリテーナに作用する外力や電線が引っ張られることでかかる端子からの負荷によって、リテーナの板状部同士が開いて端子の係止が不十分となったり、リテーナが接続部から外れるような不具合を抑制できる。
また、端子が半挿入状態のときにリテーナを強く押し込んで移動させようとしても、ガイドレールとスライドレールとの係合によってリテーナの板状部同士の開きが抑制されるため、無理に移動させることができない。つまり、端子収容室に対して端子が半挿入状態のときに、リテーナが変形して板状部同士が開いて装着されてしまうことで、端子の半挿入状態が認識できなくなることも抑制できる。
つまり、リテーナの変形を抑制し、リテーナによる端子の係止を確実に維持させることができる。
上記（２）の構成のコネクタによれば、スライドレールが、板状部同士が開きやすい装着方向の前端側に設けられているので、接続部に対するリテーナの装着時及び装着後における板状部同士の開きを効果的に抑制できる。
上記（３）の構成のコネクタによれば、リテーナを接続部に対して仮係止位置に配置させることで、端子収容室に対して端子を挿入して第一係止部で係止させることができる。さらに、この状態からリテーナを接続部に対して本係止位置に配置させることで、端子収容室に挿入された端子を第二係止部で係止させることができる。また、リテーナを移動させて本係止位置へ配置させる際に、端子収容室へ挿入した端子が半挿入状態であると、第二係止部が端子の後端へ入らず端子と干渉することで、端子の半挿入状態を認識することができる。また、端子が半挿入状態のときにリテーナを本係止位置へ強く押し込んで移動させようとしても、ガイドレールとスライドレールとの係合によってリテーナの板状部同士の開きが抑制されるため、本係止位置へ無理に移動させることができない。したがって、端子の半挿入状態におけるリテーナの装着不良を抑制できる。
【発明の効果】
【０００８】
本発明によれば、リテーナの変形を抑制し、リテーナによる端子の係止を確実に維持させることが可能なコネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、相手側コネクタに嵌合された本実施形態に係るコネクタの斜視図である。
【図２】図２は、本実施形態に係るコネクタの斜視図である。
【図３】図３は、本実施形態に係るコネクタの分解斜視図である。
【図４】図４は、相手側コネクタに対する嵌合状態のコネクタの縦断面図である。
【図５】図５は、メス端子の挿入前におけるコネクタの縦断面図である。
【図６】図６は、接続部及びリテーナの斜視図である。
【図７】図７は、リテーナの後方側から視た斜視図である。
【図８】図８は、リテーナが装着された接続部を嵌合方向に沿って断面視した斜視図である。
【図９】図９は、接続部に対するリテーナの装着状態を示す図であって、図９（ａ）は、リテーナが仮係止位置に配置された状態の横断面図、図９（ｂ）は、リテーナが本係止位置に配置された状態の横断面図である。
【図１０】図１０は、接続部に対するリテーナの装着状態を示す図であって、図１０（ａ）は、リテーナが仮係止位置に配置された状態の接続部を嵌合方向に直交する方向に断面視した斜視図、図９（ｂ）は、リテーナが本係止位置に配置された状態の接続部を嵌合方向に直交する方向に断面視した斜視図である。
【図１１】図１１は、相手側コネクタに対する嵌合前の縦断面図である。
【図１２】図１２は、相手側コネクタに対する嵌合途中の縦断面図である。
【図１３】図１３は、相手側コネクタに対する嵌合途中の縦断面図である。
【図１４】図１４は、相手側コネクタに対する嵌合状態の縦断面図である。
【発明を実施するための形態】
【００１１】
以下、本発明に係る実施の形態の例を、図面を参照して説明する。
図１は、相手側コネクタに嵌合された本実施形態に係るコネクタの斜視図である。図２は、本実施形態に係るコネクタの斜視図である。図３は、本実施形態に係るコネクタの分解斜視図である。図４は、相手側コネクタに対する嵌合状態のコネクタの縦断面図である。なお、以下では、相手側コネクタと嵌合する方向を前方（嵌合方向前方）として説明する。同様に、相手側コネクタから離間する方向を後方（嵌合方向後方）、嵌合方向と略直交するコネクタ高さ方向（高さ方向）の一側（図４の上方）を上方、他側（図４の下方）を下方、嵌合方向及びコネクタ高さ方向と略直交するコネクタ幅方向（幅方向）を左右方向として説明する。
【００１２】
（コネクタ１１の概略構成）
図１から図４に示すように、コネクタ１１は、筒状のメスハウジング（ハウジング）１３と、筒状のオスハウジング（相手側ハウジング）１５と、メスハウジング１３に収容されるメス端子（端子）１７と、オスハウジング１５に収容されるオス端子１９と、メスハウジング１３の外面に嵌合方向でスライド可能に装着される筒状のＣＰＡ（嵌合保証部材）２１と、メスハウジング１３に装着される環状のシール部材２３と、メスハウジング１３に装着されるリテーナ２５とを備えて構成される。本実施形態のコネクタ１１は、二対のメス端子１７とオス端子１９とをそれぞれ接続させるものであり、メスハウジング１３には２個のメス端子１７が収容され、オスハウジング１５には２個のオス端子１９が収容される。
【００１３】
（オスハウジング１５）
オスハウジング１５は、合成樹脂製であって、例えば車両等に搭載された図示しない電気機器の器壁に直結されている。オスハウジング１５は、器壁に対応する基端部２７と、基端部２７から嵌合方向に延出する円筒状のフード部２９とを有している。基端部２７には、有底の空間３１が形成されており、この空間３１の奥側には嵌合方向に向かって突出するタブ状のオス端子１９が固定されている。
【００１４】
フード部２９の外周の上面には、上係止突起３３が突出して設けられる。上係止突起３３は、後方に向かって突出高さが増大する上傾斜面３５と、上傾斜面３５の上端（後端）と連なり、前後方向に沿って延びる上平坦面３７と、上平坦面３７の後端と連なり、略垂直に切り立つ上係止面３９とを有している。同様に、フード部２９の外周の下面には、下係止突起３４が突出して設けられる。下係止突起３４は、後方に向かって突出高さが増大する下傾斜面３６と、下傾斜面３６の下端（後端）と連なり、前後方向に沿って延びる下平坦面３８と、下平坦面３８の後端と連なり、略垂直に切り立つ下係止面４０とを有している。上係止突起３３と下係止突起３４とは上下略対称に形成され、嵌合方向において、上傾斜面３５と下傾斜面３６とは略同範囲に、上平坦面３７と下平坦面３８とは略同範囲にそれぞれ配置されている。
【００１５】
（メスハウジング１３）
図５は、メス端子の挿入前におけるコネクタの縦断面図である。
図５に示すように、メスハウジング１３は、筒状のインナーハウジング４１と、インナーハウジング４１の外周面と間隔をあけてこの外周面を包囲する筒状のアウターハウジング４３とを連ねて形成される。メスハウジング１３は、合成樹脂製であって、インナーハウジング４１の外周面とアウターハウジング４３の内周面との隙間には、オスハウジング１５のフード部２９が挿入される。
【００１６】
インナーハウジング４１には、後方からメス端子１７が挿入される２つの端子収容室４５が形成される。各端子収容室４５は、インナーハウジング４１の先端部に形成された挿入口４７を介して外部に開放され、各挿入口４７からタブ状のオス端子１９が挿入される。
【００１７】
端子収容室４５に挿入されて収容されるメス端子１７は、電線１８の端部に接続されている。メス端子１７は、オス端子１９が挿入されることでオス端子１９と電気的に接続される角筒状の電気接続部７１と、電線１８の端部に圧着されて電線１８の導体と電気的に接続される電線接続部７３とを有している。電気接続部７１には、その下部に、係止片部７５が突設されている。また、メス端子１７が接続された電線１８には、メス端子１７との接続端に、ゴム栓７７が装着されている。ゴム栓７７は、端子収容室４５に嵌め込まれることで、端子収容室４５をシールする。
【００１８】
インナーハウジング４１は、アウターハウジング４３の前端面よりも前方に張り出して形成され、アウターハウジング４３に包囲されたインナーハウジング４１の円筒状の外周面にシール部材２３が装着される。アウターハウジング４３の先端部分は、外周にリテーナ２５が装着される接続部４４とされており、この接続部４４は、リテーナ２５とともにオスハウジング１５に嵌合されて接続される。接続部４４におけるリテーナ２５の装着部分は、メスハウジング１３のアウターハウジング４３からオスハウジング１５への嵌合方向へ突出されている。
【００１９】
メスハウジング１３の外周面には、弾性変位可能なハウジングアーム５１が形成される。ハウジングアーム５１は、門型に形成され、メスハウジング１３の外周面に片持ち状に支持されている。ハウジングアーム５１は、インナーハウジング４１の外周面と略平行にオスハウジング１５に向かって延在する左右一対の弾性アーム片５３と、各弾性アーム片５３の前端部同士を幅方向に架橋する係止片５５とを有している。係止片５５は、両ハウジング１３，１５の嵌合時に、オスハウジング１５の上係止突起３３を係止する。
【００２０】
ハウジングアーム５１は、その後端部を支点として、係止片５５が上方（外方）に揺動して弾性変位（撓み変形）可能になっている。ハウジングアーム５１は、一対の弾性アーム片５３の前端部にそれぞれ片持ち状に支持され、後方に向かって延出する門型のロックアーム５７が連設されている。ロックアーム５７は、ハウジングアーム５１の係止状態の解除時に押圧される操作部５９を有しており、操作部５９は弾性アーム片５３よりも高い位置に配置されている。
【００２１】
メスハウジング１３は、アウターハウジング４３の前端上部の左右両端から立ち上がって幅方向を横断し、係止片５５を外側（上方）から覆うメスハウジングブリッジ６１を有している。メスハウジングブリッジ６１は、オスハウジング１５の上傾斜面３５による係止片５５の弾性変位を許容する位置であって、係止片５５の移動範囲の外側（上方）近傍に配置されている。
【００２２】
（リテーナ２５）
図６は、接続部及びリテーナの斜視図である。図７は、リテーナの後方側から視た斜視図である。図８は、リテーナが装着された接続部を嵌合方向に沿って断面視した斜視図である。図９は、接続部に対するリテーナの装着状態を示す図であって、図９（ａ）は、リテーナが仮係止位置に配置された状態の横断面図、図９（ｂ）は、リテーナが本係止位置に配置された状態の横断面図である。図１０は、接続部に対するリテーナの装着状態を示す図であって、図１０（ａ）は、リテーナが仮係止位置に配置された状態の接続部を嵌合方向に直交する方向に断面視した斜視図、図９（ｂ）は、リテーナが本係止位置に配置された状態の接続部を嵌合方向に直交する方向に断面視した斜視図である。
【００２３】
図６から図８に示すように、リテーナ２５は、幅方向の一方（側方）が開口するＵ状断面のリテーナ本体１０５と、リテーナ本体の前端を覆う前板部１０７とを有する。リテーナ２５は、合成樹脂製であり、前板部１０７には、２つの挿入口１０９が形成されている。挿入口１０９は、リテーナ２５が後述する本係止位置に配置された状態でインナーハウジング４１の挿入口４７と連通し、挿入口４７，１０９からオス端子１９が挿入される。
【００２４】
リテーナ本体１０５は、上下に離間して相対向する一対の板状部１１１，１１３と、上側の板状部１１１の端縁と下側の板状部１１３の端縁とを連結する連結部１１５とを一体的に有する。上側の板状部１１１の開口側の端縁には、嵌合方向に沿って直線状に延びるリテーナ突起１１７が下方へ突設されている。
【００２５】
接続部４４の上面には、隔壁１１９を挟んで並ぶ本係止溝１２１と仮係止溝１２３とが設けられ、隔壁１１９と本係止溝１２１と仮係止溝１２３とは、嵌合方向に沿って直線状に延びる。本係止溝１２１は、接続部４４の上面から突出する接続部４４の側壁上端部１２７と隔壁１１９との間に区画され、仮係止溝１２３は、接続部４４の上面から突出する溝形成突起１２９と隔壁１１９との間に区画される。
【００２６】
リテーナ２５の下側の板状部１１３には、内側へ向かって突出するランス（第１係止部）１４１及び本係止突起（第２係止部）１４３が形成されている。ランス１４１は、本係止突起１４３よりも端子収容室４５へのメス端子１７の挿入方向の前方側に設けられている。ランス１４１は、その先端が、挿入方向の前方側へ向かって上側の板状部１１１側へ突出するように傾斜されて弾性変形可能とされている。
【００２７】
接続部４４には、その先端における上面部分に、板状のガイドレール１４５が形成されている。このガイドレール１４５は、接続部４４に対して先端側が連設されており、接続部４４に対するリテーナ２５の装着方向に沿って延在されている。このガイドレール１４５は、リテーナ２５の装着方向の前端側に設けられている。
【００２８】
また、リテーナ２５には、その先端における上側の板状部１１１に、板状のスライドレール１４７が形成されている。このスライドレール１４７は、リテーナ２５の上側の板状部１１１に対して後端側が連設されており、接続部４４に対するリテーナ２５の装着方向に沿って延在されている。このスライドレール１４７は、リテーナ２５の装着方向の前端側に設けられている。
【００２９】
接続部４４のガイドレール１４５とリテーナ２５のスライドレール１４７とは、接続部４４にリテーナ２５を装着する際に、装着方向にわたって互いに係合される。
【００３０】
リテーナ２５を接続部４４へ装着する場合、リテーナ２５の側方の開口を僅かに拡げ、開口に接続部４４を入り込ませるようにリテーナ２５を接続部４４の側方から押し込んで幅方向（装着方向）へ移動させる。リテーナ２５を装着方向へ移動させると、リテーナ突起１１７は、図９（ａ）に示すように、溝形成突起１２９を乗り越えて仮係止溝１２３に進入して係止（仮係止位置）する。そして、さらに装着方向へ移動させると、図９（ｂ）に示すように、隔壁１１９を乗り越えて本係止溝１２１に進入して係止する（本係止位置）。
【００３１】
接続部４４に対してリテーナ２５が仮係止位置に配置されると、リテーナ２５のランス１４１が端子収容室４５に配置される。また、接続部４４に対してリテーナ２５が本係止位置に配置されると、リテーナ２５の本係止突起１４３がランス１４１とともに端子収容室４５に配置される。
【００３２】
また、図１０（ａ）に示すように、接続部４４に対してリテーナ２５が仮係止位置に配置されると、接続部４４のガイドレール１４５にリテーナ２５のスライドレール１４７が係合する。さらに、図１０（ｂ）に示すように、仮係止位置のリテーナ２５が押し込まれて本係止位置へ移動する際にも、接続部４４のガイドレール１４５とリテーナ２５のスライドレール１４７とが互いに係合した状態に維持される。
【００３３】
（ＣＰＡ２１）
ＣＰＡ２１は、合成樹脂製であって、メスハウジング１３に後方から被せられ、嵌合方向にスライド可能に装着されている。ＣＰＡ２１には、幅方向に間隔をあけて立ち上がる左右１対の側壁８７と、各側壁８７の上端部同士を架橋する支持壁８９とが形成され、支持壁８９の中央部には、オスハウジング１５に向かって延在するＣＰＡ上アーム９１が形成される。
【００３４】
ＣＰＡ上アーム９１は、支持壁８９に片持ち状に支持されており、オスハウジング１５のフード部２９に向かって下方に傾倒して設けられる。ＣＰＡ上アーム９１の先端部には、下方に延出する上係止爪９３が形成され、上係止爪９３の下部前面には傾斜面９５が形成される。ＣＰＡ上アーム９１は、後端部を支点として、上係止爪９３が上方（外方）に揺動して弾性変位（撓み変形）可能になっている。ＣＰＡ２１は、メスハウジング１３に装着されると、ＣＰＡ上アーム９１の上係止爪９３がロックアーム５７の操作部５９を乗り越えてハウジングアーム５１の係止片５５の後端部に当接する。そして、両ハウジング１３，１５の嵌合時には係止片５５の後端部を嵌合方向（前方）に押圧する。
【００３５】
ＣＰＡ２１は、ＣＰＡ上アーム９１と対向する位置（略１８０度離れた位置）に片持ち状に支持され、オスハウジング１５に向かって延在するＣＰＡ下アーム９９を有している。ＣＰＡ下アーム９９の先端部には、ＣＰＡ２１の内方に延出する下係止爪１０１が形成され、下係止爪１０１の上部前面には傾斜面１０３が形成される。ＣＰＡ下アーム９９は、ＣＰＡ上アーム９１と同様に、後端部を支点として下係止爪１０１が下方（外方）に揺動して弾性変位（撓み変形）可能になっている。
【００３６】
（コネクタ１１の組立手順）
次に、本実施形態のコネクタ１１の組立手順を説明する。
まず、メスハウジング１３にシール部材２３を装着し、リテーナ２５をアウターハウジング４３から張り出した接続部４４の仮係止位置に装着する。すると、リテーナ２５のランス１４１が端子収容室４５に配置された状態となる。続いて、メスハウジング１３の端子収容室４５に電線１８が接続されたメス端子１７を後方から挿入する。すると、メス端子１７は、その電気接続部７１に形成された係止片部７５がランス１４１を乗り越えて挿入方向の前方側へ配置される。これにより、メス端子１７は、ランス１４１によって係止されて端子収容室４５に収容された状態に維持される。
【００３７】
次に、リテーナ２５を本係止位置まで押し込んでスライドさせる。すると、リテーナ２５の本係止突起１４３がメス端子１７の電気接続部７１の後端側に入り込み、これにより、メス端子１７はランス１４１とともにリテーナ２５に係止される。
【００３８】
このように、リテーナ２５は、仮係止位置に配置されることで、端子収容室４５へのメス端子１７の挿入を許容するとともに、挿入されたメス端子１７を係止して抜け止めし、本係止位置に配置されることで、端子収容室４５に対してメス端子１７を抜け止めする。
【００３９】
ここで、仮係止位置のリテーナ２５を本係止位置へ押し込む際に、メス端子１７が半挿入状態であると、リテーナ２５の本係止突起１４３がメス端子１７の電気接続部７１に干渉する。つまり、メス端子１７が半挿入状態のときは、リテーナ２５を本係止位置へ押し込むことができないことから、作業者は、メス端子１７が半挿入状態であることを認識することができる。
【００４０】
（コネクタ１１の嵌合手順）
次に、本実施形態のコネクタ１１の嵌合手順を説明する。
図１１は、相手側コネクタに対する嵌合前の縦断面図である。図１２及び図１３は、相手側コネクタに対する嵌合途中の縦断面図である。図１４は、相手側コネクタに対する嵌合状態の縦断面図である。
【００４１】
図１１に示すように、メスハウジング１３に後方からＣＰＡ２１を装着し、ＣＰＡ２１を前方に移動させる。すると、ＣＰＡ上アーム９１が係止片５５と当接し、メスハウジング１３はＣＰＡ２１とともに前方に移動する。この状態でＣＰＡ２１を嵌合方向（前方）に押し込む。すると、オスハウジング１５のフード部２９にメスハウジング１３のインナーハウジング４１が挿入され、オス端子１９の先端部が挿入口４７に挿入された状態となる。
【００４２】
ＣＰＡ２１を嵌合方向にさらに押し込むと、ハウジングアーム５１の係止片５５は、上係止突起３３の上傾斜面３５に到達して乗り上がり、上傾斜面３５上の摺動を開始し、ハウジングアーム５１は、係止片５５が上傾斜面３５に押し付けられて上方に弾性変形する。これにより、上傾斜面３５にはハウジングアーム５１の復元力が作用し、オスハウジング１５は、メスハウジング１３によって嵌合方向と反対方向に付勢され、メスハウジング１３は、オスハウジング１５から反作用を受ける。その結果、ＣＰＡ２１を掴んでいる手を離すと、メスハウジング１３はＣＰＡ２１とともに嵌合方向と反対方向に押し戻される。
【００４３】
図１２に示すように、ＣＰＡ２１を嵌合方向にさらに押し込むと、ＣＰＡ上アーム９１の上係止爪９３は、上係止突起３３の上傾斜面３５に到達して乗り上がり、上傾斜面３５上の摺動を開始する。そして、ＣＰＡ上アーム９１は、上係止爪９３が上傾斜面３５に押し付けられて上方に弾性変形する。これにより、上傾斜面３５にはＣＰＡ上アーム９１の復元力が作用し、オスハウジング１５は、ＣＰＡ２１によって嵌合方向と反対方向に付勢され、ＣＰＡ２１は、オスハウジング１５から反作用を受ける。また、ＣＰＡ上アーム９１の上係止爪９３が上係止突起３３の上傾斜面３５上の摺動を開始した時点では、ハウジングアーム５１の係止片５５も上傾斜面３５上を未だ摺動中である。メスハウジング１３は、係止片５５の弾性変位による上傾斜面３５からの反作用も受ける。さらに、ＣＰＡ上アーム９１の上係止爪９３が上傾斜面３５上の摺動を開始するのと略同じタイミングで、ＣＰＡ下アーム９９の下係止爪１０１が下係止突起３４の下傾斜面３６上の摺動を開始する。そして、ＣＰＡ下アーム９９は、下係止爪１０１が下傾斜面３６に押し付けられて下方に弾性変形する。これにより、下傾斜面３６にはＣＰＡ下アーム９９の復元力が作用し、オスハウジング１５は、ＣＰＡ２１によって嵌合方向と反対方向に付勢され、ＣＰＡ２１は、オスハウジング１５から反作用を受ける。
【００４４】
図１３に示すように、ＣＰＡ２１を嵌合方向にさらに押し込むと、ハウジングアーム５１の係止片５５は、上傾斜面３５を乗り越えて上平坦面３７に到達する。これにより、ハウジングアーム５１の復元力は上傾斜面３５に作用しなくなり、ハウジングアーム５１は、オスハウジング１５を押し戻すことができなくなる。従って、ＣＰＡ２１は、上係止爪９３の弾性変位による上傾斜面３５からの反作用と、下係止爪１０１の弾性変位による下傾斜面３６からの反作用とを受ける。
【００４５】
図１４に示すように、係止片５５が上平坦面３７を通過すると、係止片５５は復元変位して上係止突起３３の上係止面３９に係止され、両ハウジング１３，１５は互いにロックされた状態（コネクタ嵌合状態）となる。係る嵌合完了の時点では、ＣＰＡ上アーム９１の上係止爪９３は未だ上傾斜面３５に位置し、ＣＰＡ下アーム９９の下係止爪１０１も下傾斜面３６に位置する。従って、ＣＰＡ２１は、上係止爪９３の弾性変位による上傾斜面３５からの反作用と、下係止爪１０１の弾性変位による下傾斜面３６からの反作用とを係属して受ける。
【００４６】
続いて、上係止爪９３は、上平坦面３７を通過し、上係止突起３３に係止された係止片５５を乗り越えた後、復元変位して、係止片５５を挟む姿勢で上係止面３９に係止される（図４参照）。このように、ＣＰＡ上アーム９１が上係止突起３３に係止された状態では常に両ハウジング１３，１５がロック状態となっているから、ＣＰＡ上アーム９１の嵌合によって、両ハウジング１３，１５の嵌合が保証される。また、係止片５５は、上係止突起３３と上係止爪９３との間に挟まれるため、メスハウジング１３の外れが抑制される。なお、下係止爪１０１は、下平坦面３８を通過した後、上係止爪９３の係止と略同じタイミングで、復元変位して下係止突起３４の下係止面４０に係止される。
【００４７】
ところで、メスハウジング１３の接続部４４に対して側方から装着されるリテーナ２５は、開口側が開きやすい断面視でＵ字状に形成されている。このため、接続部４４に装着されたリテーナ２５に外力が作用したり、電線１８が引っ張られてメス端子１７からリテーナ２５に負荷がかかると、リテーナ２５が開いてメス端子１７の係止が不十分となるそれがある。また、端子収容室４５に対するメス端子１７の挿入が不完全な半挿入状態でリテーナ２５を無理に強く押し込むと、リテーナ２５は、開口側が開いて本係止突起１４３がメス端子１７の電気接続部７１を乗り上げてしまう。このため、メス端子１７が半挿入状態であるにも関わらず、接続部４４に装着されてしまうおそれがある。
【００４８】
これに対して、本実施形態に係るコネクタ１１では、メスハウジング１３の接続部４４にリテーナ２５を装着する際に、接続部４４に形成されたガイドレール１４５とリテーナ２５に形成されたスライドレール１４７とが、装着方向にわたって係合される。したがって、接続部４４に装着されたリテーナ２５に作用する外力や電線１８が引っ張られることでかかるメス端子１７からの負荷によって、リテーナ２５の板状部１１１，１１３同士が開いてメス端子１７の係止が不十分となったり、リテーナ２５が接続部４４から外れるような不具合を抑制できる。
【００４９】
また、メス端子１７が半挿入状態のときにリテーナ２５を本係止位置へ強く押し込んで移動させようとしても、ガイドレール１４５とスライドレール１４７との係合によってリテーナ２５の板状部１１１，１１３同士の開きが抑制される。このため、本係止位置へ無理に移動させることができない。つまり、端子収容室４５に対してメス端子１７が半挿入状態のときに、リテーナ２５が変形して板状部１１１，１１３同士が開いて装着されてしまうことで、メス端子１７の半挿入状態が認識できなくなることも抑制できる。
【００５０】
つまり、リテーナ２５の変形を抑制し、リテーナ２５によるメス端子１７の係止を確実に維持させることができる。
【００５１】
特に、スライドレール１４７が、板状部１１１，１１３同士が開きやすい装着方向の前端側に設けられているので、接続部４４に対するリテーナ２５の装着時及び装着後における板状部１１１，１１３同士の開きを効果的に抑制できる。
【００５２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５３】
例えば、本実施形態では、ＣＰＡ２１を備えたコネクタ１１を例にとって説明したが、本発明はＣＰＡ２１を備えないコネクタにも適用可能である。
【００５４】
ここで、上述した本発明に係るコネクタの実施形態の特徴をそれぞれ以下［１］〜［３］に簡潔に纏めて列記する。
［１］  端子（メス端子１７）を収容する端子収容室（４５）が形成された接続部（４４）を有するハウジング（メスハウジング１３）と、
前記接続部（４４）に対して側方から装着されて前記端子収容室（４５）に収容された前記端子（メス端子１７）を係止するリテーナ（２５）と、
を備え、
前記接続部（４４）は、上部及び下部の少なくとも一方に、前記リテーナ（２５）の装着方向に沿うガイドレール（１４５）を有し、
前記リテーナ（２５）は、前記接続部（４４）の上部及び下部に沿って配置される一対の板状部（１１１，１１３）と、前記板状部（１１１，１１３）における前記接続部（４４）への装着側と反対側を連結する連結部（１１５）と、を有し、
前記板状部（１１１，１１３）の少なくとも一方には、前記接続部（４４）に前記リテーナ（２５）を装着する際に、前記ガイドレール（１４５）と係合するスライドレール（１４７）が前記装着方向に沿って形成されている
ことを特徴とするコネクタ。
［２］  前記スライドレール（１４７）は、前記リテーナ（２５）における前記装着方向の前端側に設けられている
ことを特徴とする［１］に記載のコネクタ。
［３］  前記リテーナ（２５）は、
前記接続部（４４）に対して仮係止位置と本係止位置とに配置され、
少なくとも前記仮係止位置で前記端子収容室（４５）への前記端子（メス端子１７）の挿入を許可するとともに前記端子収容室（４５）に挿入された前記端子（メス端子１７）を係止する第一係止部（ランス１４１）と、
前記本係止位置で前記端子収容室（４５）に挿入された前記端子（メス端子１７）の後端に配置されて前記端子（メス端子１７）を係止する第二係止部（本係止突起１４３）と、を備える
ことを特徴とする［１］または［２］に記載のコネクタ。
【符号の説明】
【００５５】
１１：コネクタ
１３：メスハウジング（ハウジング）
１７：メス端子（端子）
２５：リテーナ
４４：接続部
４５：端子収容室
１１１，１１３：板状部
１１５：連結部
１４１：ランス（第１係止部）
１４３：本係止突起（第２係止部）
１４５：ガイドレール
１４７：スライドレール
【図１】
2020155222.tif 000003
【図２】
2020155222.tif 000004
【図３】
2020155222.tif 000005
【図４】
2020155222.tif 000006
【図５】
2020155222.tif 000007
【図６】
2020155222.tif 000008
【図７】
2020155222.tif 000009
【図８】
2020155222.tif 000010
【図９】
2020155222.tif 000011
【図１０】
2020155222.tif 000012
【図１１】
2020155222.tif 000013
【図１２】
2020155222.tif 000014
【図１３】
2020155222.tif 000015
【図１４】
2020155222.tif 000016